(57)【要約】【課題】  複製禁止原稿の複製を効果的に防止する。【解決手段】  画像処理装置１０は、原稿を読み取り画像データを取得する読取部１１と、画像データを出力する出力部１５と、読取部１１で読み取られた画像データの少なくとも一部が複写禁止原稿であるかを検知する検知部２１と、画像データが複写禁止原稿であると検知された場合、読取部１１および出力部１５の一部の動作を禁止するとともに、解除操作が認証された場合、禁止を解除するロック／解除部２３と、ロック／解除部２３で動作が禁止された後、解除操作を受け付ける解除操作受付部２５と、解除操作の認証を行う認証部２７と、を備える。【選択図】  図１
2005333527.tif 000002
【特許請求の範囲】
【請求項１】
原稿を読み取り画像データを取得する読取部と、
前記画像データを出力する出力部と、を備えた画像処理装置であって、
前記読取部で読み取られた前記画像データの少なくとも一部が複写禁止原稿であるかを検知する検知部と、
前記画像データが前記複写禁止原稿であると検知された場合、前記読取部および前記出力部の一部の動作を禁止する禁止部と、
前記禁止部で前記動作が禁止された後、解除操作を受け付ける受付部と、
前記解除操作の認証を行う認証部と、
前記解除操作が認証された場合、前記禁止を解除する解除部と、
を備えたことを特徴とする画像処理装置。
【請求項２】
請求項１に記載の画像処理装置において、
前記解除操作は、所定のキー操作または所定のパスワードの入力であり、
前記キー操作または前記パスワードを登録する登録部を備え、
前記受付部は、前記キー操作または前記パスワードの入力を受け付け、
前記認証部は、前記受付部で受け付けた前記キー操作または前記パスワードが前記登録部に登録された前記キー操作または前記パスワードと一致したとき、前記解除操作を認証することを特徴とする画像処理装置。
【請求項３】
請求項１または２に記載の画像処理装置において、
動作モードを、前記禁止部で前記動作が禁止されたとき、ロックモードに設定するとともに、前記認証部で前記解除操作が認証されたとき、通常モードに設定するモード設定部と、
前記動作モードを判定する判定部と、を備え、
前記受付部は、前記判定部で前記動作モードが前記ロックモードであると判定されたとき、前記解除操作を受け付け、
前記認証部は、前記解除操作を認証することを特徴とする画像処理装置。
【請求項４】
請求項１乃至３いずれかに記載の画像処理装置において、
前記読取部で前記原稿を読み取る前または前記出力部で前記画像データを出力する前に、前記一部の動作を許可する許可操作を受け付ける許可操作受付部と、
前記許可操作を確認する確認部と、
前記許可操作が確認されたとき、前記一部の動作を許可し、前記許可操作が確認されないときは、前記一部の動作を禁止する動作制御部と、を含むことを特徴とする画像処理装置。
【発明の詳細な説明】
【技術分野】
【０００１】
本発明は、画像処理装置に関し、特に、複写禁止原稿の画像処理を禁止可能な画像処理装置に関する。
【背景技術】
【０００２】
近年、カラー複写機の性能は飛躍的に向上し、オリジナル原稿と見分けがつかないレベルでの複写が可能となってきている。そのため有価証券や紙幣など複写が禁止されている複写禁止原稿の偽造が簡単に行われてしまう可能性があり、社会的にも問題となっている。
【０００３】
特許文献１には、偽造防止装置を備えた画像形成装置において、偽造防止装置が取り外された場合に複写機能を不能状態にすることにより、特殊原稿の偽造を防止する画像処理装置が開示されている。
【０００４】
また、特許文献２には、脱着可能な現像ユニットと、制御部と、にそれぞれパスワードを登録し、入力されたパスワードとの比較を行い、すべてのパスワードが一致した場合にのみ出力装置の使用を許可する構成の出力装置が開示されている。
【特許文献１】特開平６−５４１８５号公報
【特許文献２】特開平１１−７８１７２号公報
【発明の開示】
【発明が解決しようとする課題】
【０００５】
しかしながら上記従来の装置にあっては、偽造防止装置の取り外しの検知により複写機能を不能状態にしたり、パスワードの入力によってのみ出力装置の使用を許可したりするので、不正を検知した場合に、すべての出力動作が行えなくなり不便であるといった問題点があった。
【０００６】
本発明は、上記背景の下でなされたものであり、その目的は、複製禁止原稿の複製を効果的に防止することができる画像処理装置を提供することにある。
【課題を解決するための手段】
【０００７】
本発明の画像処理装置は、原稿を読み取り画像データを取得する読取部と、前記画像データを出力する出力部と、を備えた画像処理装置であって、前記読取部で読み取られた前記画像データの少なくとも一部が複写禁止原稿であるかを検知する検知部と、前記画像データが前記複写禁止原稿であると検知された場合、前記読取部および前記出力部の一部の動作を禁止する禁止部と、前記禁止部で前記動作が禁止された後、解除操作を受け付ける受付部と、前記解除操作の認証を行う認証部と、前記解除操作が認証された場合、前記禁止を解除する解除部と、を備える。
【０００８】
ここで、読取部の一部の動作とは、複写禁止原稿の複製処理を行うための動作を含み、たとえばカラースキャンなどである。読取部の他の動作としては、低解像度のカラースキャン、モノクロスキャンなどがある。出力部の一部の動作とは、複写禁止原稿の複製処理を行うための動作を含み、たとえばフルカラー印刷、精細印刷などである。あるいは、出力部の一部の動作は、画像データのファイル出力を含み、各種記録媒体への書き込みやデータ送信を含む。出力部のその他の動作としては、モノクロ印刷、低解像度印刷などがある。また、解除操作とは、たとえば、管理者のみが知っているパスワードの入力や所定のキー操作である。
【０００９】
本発明によれば、複写禁止原稿が検知されたとき、読取部および出力部の一部の動作を禁止するとともに、解除操作が認証されたときに禁止を解除するので、確実に複写禁止原稿の複写を防止することができる。たとえば、フルカラー印刷など偽造に繋がる動作のみを禁止するようにすれば、複写禁止画像が誤って検知されたような場合でも、出力動作すべてを禁止するのではなく、モノクロ印刷などは行うことができるので、使い勝手が向上する。
【００１０】
上記画像処理装置において、前記解除操作は、所定のキー操作または所定のパスワードの入力であり、前記キー操作または前記パスワードを登録する登録部を備えることができ、前記受付部は、前記キー操作または前記パスワードの入力を受け付け、前記認証部は、前記受付部で受け付けた前記キー操作または前記パスワードが前記登録部に登録された前記キー操作または前記パスワードと一致したとき、前記解除操作を認証することができる。
【００１１】
ここで、登録部は、管理者のみが登録可能とする。
【００１２】
この構成によれば、管理者により登録されたパスワードで解除操作の認証がなされるので、管理者以外による解除操作はできないので、複写禁止原稿の偽造を防止できる。
【００１３】
上記画像処理装置において、動作モードを、前記禁止部で前記動作が禁止されたとき、ロックモードに設定するとともに、前記認証部で前記解除操作が認証されたとき、通常モードに設定するモード設定部と、前記動作モードを判定する判定部と、を備えることができ、前記受付部は、前記判定部で前記動作モードが前記ロックモードであると判定されたとき、前記解除操作を受け付け、前記認証部は、前記解除操作を認証することができる。
【００１４】
この構成によれば、ロックモードの場合に解除操作を受け付け、解除操作の認証を行うことができる。
【００１５】
上記画像処理装置において、前記読取部で前記原稿を読み取る前または前記出力部で前記画像データを出力する前に、前記一部の動作を許可する許可操作を受け付ける許可操作受付部と、前記許可操作を確認する確認部と、前記許可操作が確認されたとき、前記一部の動作を許可し、前記許可操作が確認されないときは、前記一部の動作を禁止する動作制御部と、を含むことを特徴とする画像処理装置。
【００１６】
ここで、カラースキャンおよびカラー印刷などの一部の動作は、通常禁止されており、所定のキー操作やパスワードの入力などの許可操作が確認されたときに動作可能となる。たとえば、ロックモード時の解除操作は、管理者などのみが知っている特別なパスワードであり、通常時の許可操作は、その部署の関係者が知っている通常のパスワードである。
【００１７】
この構成によれば、通常のパスワードを知らない部外者などがカラースキャンやカラー印刷などを行うことを防止することができる。
【００１８】
なお、以上の構成要素の任意の組合せ、本発明の表現を方法、装置、システム、記録媒体、コンピュータプログラムなどの間で変換したものもまた、本発明の態様として有効である。
【発明の効果】
【００１９】
上述のように、本発明によれば、複製禁止原稿の複製を効果的に防止することができる画像処理装置が提供される。
【発明を実施するための最良の形態】
【００２０】
以下、本発明の実施の形態を図面を参照して説明する。
【００２１】
図１は、本実施の形態の画像処理装置を含む画像処理装置の機能ブロック図である。画像処理装置１０は、たとえば、フルカラー複写装置などである。なお、図１において、本発明の本質に関わらない部分の構成については省略してある。
【００２２】
また、画像処理装置１０の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウエアとソフトウエアの任意の組合せによって実現される。そして、その実現方法、装置にはいろいろな変形例があることは、当業者には理解されるところである。以下説明する各図は、ハードウエア単位の構成ではなく、機能単位のブロックを示している。
【００２３】
画像処理装置１０は、読取部１１と、画像データ記憶部１３と、出力部１５と、指示受付部１７と、禁止原稿複写防止部２０と、を含む。
【００２４】
読取部１１は、原稿をカラーまたはモノクロで読み取り画像データを取得する。画像データ記憶部１３は、読取部１１で取得した画像データを記憶する。出力部１５は、画像データ記憶部１３に記憶された画像データをカラーまたはモノクロで出力する。
【００２５】
指示受付部１７は、原稿の読み取りを指定する操作指示と、コピー開始指示と、を受け付ける。原稿の読み取りの指定は、カラー、モノクロ、あるいは自動判別のいずれかを指定できる。指示受付部１７は、カラー指定を受け付けた場合、読取部１１に原稿をカラーで読み取るよう通知する。モノクロ指定を受け付けた場合、指示受付部１７は、読取部１１に原稿をモノクロで読み取るよう通知する。また、指示受付部１７は、受け付けた指示を後述するカラー検知部に通知する。
【００２６】
禁止原稿複写防止部２０は、検知部２１と、ロック／解除部２３と、解除操作受付部２５と、認証部２７と、解除操作記憶部２９と、を含む。
【００２７】
検知部２１は、カラーで読み取られた画像データの少なくとも一部が複写禁止原稿であるかを検知する。検知部２１における複写禁止原稿の検知は、公知の技術を用いる。ロック／解除部２３は、画像データが複写禁止原稿であると検知された場合、読取部１１および出力部１５の一部の動作を禁止する。また、ロック／解除部２３は、後述する解除操作の認証後に、動作の禁止を解除する。ここで、読取部１１の一部の動作とは、複写禁止原稿の複製処理を行うための動作を含み、たとえばカラースキャンなどである。読取部１１の他の動作としては、低解像度のカラースキャン、モノクロスキャンなどがある。出力部１５の一部の動作とは、複写禁止原稿の複製処理を行うための動作を含み、たとえばフルカラー印刷、精細印刷などである。出力部１５のその他の動作としては、モノクロ印刷、低解像度印刷などがある。
【００２８】
解除操作受付部２５は、ロック／解除部２３で動作が禁止された後、解除操作を受け付ける。解除操作は、たとえば、管理者のみが知っているパスワードの入力や、所定のキー操作などである。
【００２９】
認証部２７は、解除操作受付部２５で受け付けた解除操作の認証を行う。解除操作記憶部２９は、予め管理者などによって登録されている解除操作が記憶されている。解除操作記憶部２９は、認証部２７で解除操作の認証を行う際に参照される。認証部２７は、解除操作受付部２５で受け付けた解除操作と解除操作記憶部２９に登録されている解除操作とが一致しているか否か検査する。認証部２７は、解除操作受付部２５で受け付けた解除操作と登録されている解除操作とが一致した場合、受け付けた解除操作を認証し、ロック／解除部２３に禁止の解除を通知する。
【００３０】
図２は、本実施の形態の画像処理装置１０の要部構成である禁止原稿複写防止部２０の詳細機能ブロック図である。禁止原稿複写防止部２０は、図１で示したロック／解除部２３と、解除操作受付部２５と、認証部２７と、解除操作記憶部２９と、に加え、カラー検知部３１と、禁止原稿検知部３３と、動作モード保持部３５と、動作モード判定部３７と、を含む。
【００３１】
カラー検知部３１は、原稿の画像データがカラーであるかを検知し、禁止原稿検知部３３に通知するものである。具体的には、カラー検知部３１は、指示受付部１７でカラー指定を受け付けたかを検知する。また、カラー検知部３１は、指示受付部１７で自動判別指定を受け付けたかどうかを検知し、自動判別指定を検知したとき、読取部１１で読み取った画像データがカラーであるかどうかを検知する。禁止原稿検知部３３は、読取部１１で読み取った画像データの少なくとも一部が複写禁止原稿の画像データであるかどうかを検知する。複写禁止原稿の画像データである場合、ロック／解除部２３に通知する。
【００３２】
ロック／解除部２３は、禁止原稿検知部３３から複写禁止原稿の画像データの検知が通知されると、動作モードをロックモードに移行させる。また、ロック／解除部２３は、認証部２７が解除操作を認証した場合、動作モードをロックモードから通常モードに移行させる。動作モード保持部３５は、現在の動作モードを保持する。動作モード判定部３７は、動作モード保持部３５を参照して、現在の動作モードを判定し、認証部２７、読取部１１および出力部１５に通知する。読取部１１および出力部１５では、動作モード判定部３７から通常モードであることが通知された場合、すべての動作が実行可能である。一方、動作モード判定部３７からロックモードであることが通知された場合、読取部１１および出力部１５では、一部の動作が禁止され、その他の動作のみが実行可能となる。すなわち、カラースキャンやフルカラー印刷、精細印刷などの一部の動作は禁止され、低解像度のカラースキャン、モノクロスキャンやモノクロ印刷、低解像度印刷などのその他の動作は許可される。
【００３３】
認証部２７は、動作モード判定部３７からロックモードであることが通知された場合、解除操作受付部２５で受け付けた解除操作の認証を行う。認証部２７は解除操作を認証した場合、ロック／解除部２３に通知する。
【００３４】
このように構成された画像処理装置１０の動作について以下に説明する。図３は、画像処理装置１０の動作を示すフローチャートである。以下、図１乃至図３を参照して説明する。
【００３５】
図３において、まず、指示受付部１７がコピー開始指示を受け付けると本処理が開始し、動作モード判定部３７は、動作モードがロックモードか否かを判定する（Ｓ１１）。ロックモードの場合（Ｓ１１のＹＥＳ）、カラー検知部３１は、指示受付部１７が受け付けた操作指示がカラー指定か否かを判定する（Ｓ１３）。カラー指定の場合（Ｓ１３のＹＥＳ）、認証部２７は後述する認証処理を行う（Ｓ１５）。すなわち、ロックモード時にカラー指定された場合は、コピー開始指示は受け付けられない。一方、カラー指定でない場合（Ｓ１３のＮＯ）、ならびにステップＳ１１で、ロックモードでないと判定された場合、読取部１１は原稿を読み取り画像データを取得する（Ｓ１７）。画像データは画像データ記憶部１３に記憶される。
【００３６】
つづいて、カラー検知部３１は、画像データ記憶部１３に記憶された画像データがカラーかどうかを検知する（Ｓ１９）。または、カラー検知部３１は、指示受付部１７で受け付けた操作指示がカラー指定であるかどうかを検知する。画像データがカラーでない場合またはカラー指定でない場合、出力部１５は画像データを出力する（Ｓ２１）。この場合は、画像データはカラーでないので、出力部１５はモノクロ印刷を行う。一方、画像データがカラーまたはカラー指定の場合（Ｓ１９のＹＥＳ）、禁止原稿検知部３３は、画像データの少なくとも一部が複写禁止原稿の画像データであるかどうかを検知する（Ｓ２３）。複写禁止原稿でない場合（Ｓ２３のＮＯ）、ステップＳ２１に進み、出力部１５は画像データを出力する。この場合は、画像データはカラーなので、たとえば出力部１５はフルカラー印刷を行う。
【００３７】
一方、複写禁止原稿の場合（Ｓ２３のＹＥＳ）、ロック／解除部２３に通知され、ロック／解除部２３は、動作モードをロックモードに移行させる（Ｓ２５）。動作モードは動作モード保持部３５に保持される。
【００３８】
なお、ステップＳ１７での画像データの読み取り処理、およびステップＳ２１での画像データの出力処理は、通常、並行して同時に行われる。すなわち、ステップＳ１７において読取部１１で読み取られ画像データ記憶部１３に記憶された画像データは、順次、ステップＳ２１において、出力部１５が画像データ記憶部１３から画像データを読み出して出力処理される。したがって、ステップＳ１９およびステップＳ２３の判定は、ステップＳ２１で画像データ記憶部１３から画像データが読み出される度に、出力部１５で出力される前に行われることとなる。
【００３９】
ステップＳ２３で複写禁止原稿が検出されたとき、すでに画像データ記憶部１３に格納され、出力されていない画像データに関しては、ステップＳ１９およびステップＳ２３で複写禁止原稿でないと判定されれば出力を許可するようにしてもよい。
【００４０】
図４は、図３の認証処理の詳細を示すフローチャートである。ここでは、フルカラー印刷を行う場合、解除操作受付部２５は、通常パスワードを受け付け、認証部２７によって認証された場合のみ、フルカラー印刷を許可するものとする。
【００４１】
ここで、通常パスワードとは、カラースキャンやカラー印刷などの動作を行う場合に入力要求されるパスワードであり、その部署の関係者が知っているパスワードである。解除操作受付部２５は、読取部１１で原稿を読み取る前、または出力部１５で画像データを出力する前に、カラースキャンやカラー印刷などの動作を許可する許可操作として、通常パスワードを受け付ける。許可操作は、所定のキー操作であってもよい。この処理については図５を用いて後述する。なお、解除操作用のパスワードは、特別パスワードと呼ぶことにする。
【００４２】
また、本処理は、図３のステップＳ１９から呼び出されるだけでなく、管理者がロックモードを解除しようとする際、解除操作受付部２５が管理者の解除要求の操作を受け付けたときにも呼び出される。
【００４３】
まず、認証処理がはじまると、解除操作受付部２５は、パスワードなどの解除操作を受け付ける（Ｓ３１）。つづいて、認証部２７は、パスワードが通常パスワードと一致するか否かを判定する（Ｓ３３）。通常パスワードと一致した場合（Ｓ３３のＹＥＳ）、複写禁止原稿を検出したことを示すメッセージを図示されない表示部に表示する（Ｓ３５）。一方、通常パスワードと一致しない場合（Ｓ３３のＮＯ）、認証部２７は、受け付けたパスワードが特別パスワードと一致するか否かを判定する（Ｓ３７）。特別パスワードと一致した場合（Ｓ３７のＹＥＳ）、認証部２７は受け付けたパスワードが認証されたことをロック／解除部２３に通知する。ロック／解除部２３は通知を受けて、ロックモードを解除し、通常モードに移行させる（Ｓ３９）。一方、特別パスワードと一致しない場合（Ｓ３７のＮＯ）、パスワードが一致しないことを示すメッセージを表示部（不図示）に表示する（Ｓ４１）。
【００４４】
図５は、図１の画像処理装置１０のカラー印刷時の動作を示すフローチャートである。図３のステップＳ１９で画像データ記憶部１３に記憶された画像データがカラーであると検知された後（Ｓ１９のＹＥＳ）、解除操作受付部２５はパスワードの入力を受け付ける（Ｓ５１）。認証部２７は、入力されたパスワードが通常パスワードと一致するか否かを判定する（Ｓ５３）。通常パスワードと一致した場合（Ｓ５３のＹＥＳ）、図３のステップＳ２３に進む。すなわち、通常パスワードと一致した場合（Ｓ５３のＹＥＳ）は、カラー印刷が許可される。ただし、後に続く図３のステップＳ２３で、複写禁止原稿が検出された場合はカラー印刷は禁止される。
【００４５】
一方、通常パスワードと一致しなかった場合（Ｓ５３のＮＯ）、パスワードが一致しなかったことを示すメッセージを表示部に表示する（Ｓ５５）。この場合、カラー印刷は行われずに処理が終了する。
【００４６】
このように、通常パスワードを設けることにより、通常パスワードを知らない部外者などがカラー印刷などを行うことを防止することができる。
【００４７】
つぎに、本実施の形態の画像処理装置１０で通常モード時にユーザが複写禁止原稿を複写しようとした場合の動作について図１乃至図４を用いて説明する。
【００４８】
図３において、まず、指示受付部１７がコピー開始指示を受け付けると、動作モード判定部３７は、動作モードがロックモードか否かを判定する（Ｓ１１）。ロックモードでないと判定され（Ｓ１１のＮＯ）、複写禁止原稿を読取部１１が読み取り、画像データが取得され（Ｓ１７）、画像データ記憶部１３に記憶される。つづいて、カラー検知部３１により、画像データがカラーであると検知され（Ｓ１９のＹＥＳ）、禁止原稿検知部３３は、画像データの少なくとも一部が複写禁止原稿の画像データであることを検知する（Ｓ２３のＹＥＳ）。
【００４９】
複写禁止原稿の画像データの検知がロック／解除部２３に通知され、ロック／解除部２３は動作モードをロックモードに移行する（Ｓ２５）。このようにして、画像処理装置１０はロックモードとなり、カラー印刷や精細印刷が禁止される。
【００５０】
つぎに、ロックモードに移行した後、さらに解除操作を知らないユーザがカラー印刷で複写をしようとした場合の動作について図１乃至図４を用いて説明する。
【００５１】
まず、図３において、指示受付部１７がコピー開始指示を受け付けると、動作モード判定部３７は、動作モードがロックモードか否かを判定する（Ｓ１１）。ロックモードであるので（Ｓ１１のＹＥＳ）、カラー検知部３１は指示受付部１７で受け付けた操作指示がカラー指定か否かを判定する（Ｓ１３）。カラー指定であるので（Ｓ１３のＹＥＳ）、認証処理に移行する（Ｓ１５）。
【００５２】
図４の認証処理において、解除操作受付部２５は、パスワードの入力をユーザに要求し、入力されたパスワードを受け付ける（Ｓ３１）。しかし、ユーザは解除操作を知らないため適当にパスワードを入力したとする。そのため、認証部２７は、通常パスワードと一致しないと判定し（Ｓ３３のＮＯ）、さらに、特別パスワードとも一致しないと判定する（Ｓ３７のＮＯ）。したがって、パスワードが一致しないことを示すメッセージが表示され（Ｓ４１）、出力部１５は印刷を行わずに処理を終了する。このようにして、画像処理装置１０はロックモード中は、カラー印刷が禁止される。
【００５３】
一方、図３において、ユーザがモノクロ印刷を行おうとした場合は、ステップＳ１３でカラー検知部３１は、指示受付部１７で受け付けた操作指示がモノクロ指定であると判定し（Ｓ１３のＮＯ）、ステップＳ１７に進み、読取部１１は原稿を読み取り画像データを取得する（Ｓ１７）。画像データは画像データ記憶部１３に記憶される。つづいて、カラー検知部３１は、指示受付部１７で受け付けた操作指示がモノクロ指定であることを検知し（Ｓ１９のＮＯ）、出力部１５はモノクロ印刷を行う（Ｓ２１）。
【００５４】
つぎに、管理者がロックモードを解除する場合の動作について、図１乃至図４を用いて説明する。
【００５５】
まず、管理者のロックの解除操作を解除操作受付部２５が受け付けると、図４の認証処理が呼び出される。解除操作受付部２５は、パスワードの入力をユーザに要求し、入力されたパスワードを受け付ける（Ｓ３１）。ここで、管理者は解除操作用の特別パスワードを入力する。
【００５６】
つづいて、認証部２７は、パスワードが通常パスワードと一致しないと判定し（Ｓ３３のＮＯ）、さらにパスワードが特別パスワードと一致すると判定する（Ｓ３７のＹＥＳ）。認証部２７は、受け付けたパスワードが認証されたことをロック／解除部２３に通知する。ロック／解除部２３は、通知を受け、ロックモードを解除し、通常モードに移行させる（Ｓ３９）。このようにして、ロックモードが解除され、カラー印刷も可能となる。
【００５７】
以上説明したように、本実施の形態によれば、複写禁止原稿が検知されたとき、読取部および出力部の一部の動作を禁止するとともに、解除操作が認証されたときに禁止を解除するので、確実に複写禁止原稿の複写を防止することができる。
【００５８】
以上に本発明の好適な実施の形態を説明した。しかし、本発明は上述の実施の形態に限定されず、当業者が本発明の範囲内で上述の実施の形態を変形可能なことはもちろんである。
【００５９】
上記実施の形態では、画像処理装置１０としてネットワークファクシミリ装置、およびＭＦＰについて説明したが、これに限定されるものではない。たとえば、画像処理装置１０は、本発明の画像処理装置を備えたパーソナルコンピュータおよびワークステーションを含む。
【００６０】
上記実施の形態では、複写禁止原稿の画像データが検知され場合、ロックモードに移行させ、カラー印刷、精細印刷などを禁止する構成としたが、この他に、モノクロ印刷や低解像度印刷に自動的に切り替えて印刷させる構成としてもよい。
【００６１】
上記実施の形態では、図５のフローチャートにおける通常パスワードの入力確認を、カラー印刷の前に行う構成としたが、カラースキャンの前に行う構成とすることもできる。たとえば、動作モード判定部３７が動作モードがロックモードでないと判定した場合（図３のＳ１１のＮＯ）、カラー検知部３１が指示受付部１７で受け付けた操作指示がカラー指定か否かを判定し、カラー指定の場合に図５の通常パスワードの入力確認を行うようにすることもできる。通常パスワードが確認された場合図３のステップＳ１７に進み、読取部１１は原稿を読み取り画像データを取得することができる。
【００６２】
この構成によれば、通常パスワードを知らない部外者などがカラースキャンを行うことも防止できる。
【００６３】
また、上記実施の形態では、出力部１５が、読取部１１で読み取られ画像データ記憶部１３に記憶された画像データを印刷出力する場合について説明したが、これに限定されない。たとえば、出力部１５は、画像データ記憶部１３に記憶された画像データのファイルを各種記録媒体に書き込む書込部、または外部に送信する送信部を含むことができる。
【００６４】
この場合、図３のステップ２１で出力部１５が画像データを出力する出力先が、それぞれ書込部または送信部となる。この構成によれば、外部に複写禁止原稿の画像データを持ち出すことを防ぐことができる。
【００６５】
また、指示受付部１７は、原稿の読み取りの解像度または画像データの出力の解像度の指定の操作指示を受け付けてもよい。指示受付部１７は、受け付けた指定を読取部１１および出力部１５に通知する。この場合、画像処理装置１０は、指示受付部１７で受け付けた解像度の指定が所定の値以上、すなわち精細であるか否かを判定する判定部をさらに含む。
【００６６】
図３のステップＳ１９の判定で、画像データがカラーであると判定された場合（Ｓ１９のＹＥＳ）、この判定部が、指示受付部１７で受け付けた解像度の指定が所定の値以上であるか否かを判定し、所定の値以上の場合、ステップＳ２３に進み、禁止原稿検知部３３により複写禁止原稿の検知を行う。一方、所定の値未満の場合、ステップＳ２１に進み、出力部１５は指示受付部１７で指定された解像度でカラー印刷を行う。
【００６７】
この構成によれば、高解像度の原稿の読み取りまたは画像データの出力の場合に複写禁止原稿の検知を行うので、低解像度の原稿の読み取りや画像データの出力の場合は、複写禁止原稿の検知処理を省略することができ、処理速度を早くすることができる。
【産業上の利用可能性】
【００６８】
本発明にかかる画像処理装置は、複製禁止原稿の複製を効果的に防止することができるという効果を有し、複写禁止原稿の画像処理を禁止可能な画像処理装置等として有用である。
【図面の簡単な説明】
【００６９】
【図１】本実施の形態の画像処理装置の機能ブロック図である。
【図２】図１の画像処理装置の要部構成である禁止原稿複写防止部の機能ブロック図である。
【図３】図１の画像処理装置の動作を示すフローチャートである。
【図４】図３の認証処理のフローチャートである。
【図５】図１の画像処理装置のカラー印刷時の動作を示すフローチャートである。
【符号の説明】
【００７０】
１０  画像処理装置
１１  読取部
１３  画像データ記憶部
１５  出力部
１７  指示受付部
２０  禁止原稿複写防止部
２１  検知部
２３  ロック／解除部
２５  解除操作受付部
２７  認証部
２９  解除操作記憶部
３１  カラー検知部
３３  禁止原稿検知部
３５  動作モード保持部
３７  動作モード判定部
【図１】
2005333527.tif 000003
【図２】
2005333527.tif 000004
【図３】
2005333527.tif 000005
【図４】
2005333527.tif 000006
【図５】
2005333527.tif 000007